(57)【要約】【課題】容易に外部記憶端末に記憶されているデータの呼び出しを可能にするオーディオ装置を提供する。【解決手段】プリセットスイッチ＃１〜＃６毎に個別の検索コマンドを生成するコマンド生成部１７と、プリセットスイッチ＃１〜＃６が所定時間以上操作された場合にコマンド生成部１７によって生成された検索コマンドと、再生中の音楽データに付随しているタグの識別情報とを対応付けてデータベースＤＢに登録するコマンド登録部１８と、プリセットスイッチ＃１〜＃６が所定時間未満操作された場合にコマンド生成部１７によって生成された検索コマンドをデータベース内で検索し、当該検索コマンドが対応付けられたタグの識別情報を呼び出してマルチメディアプレーヤー２に送信するタグ検索部１９とを備えることを特徴とする。【選択図】図２
2008027345.tif 000002
【特許請求の範囲】
【請求項１】
音声データが記憶された外部記憶端末が接続可能に構成されるとともに、該外部記憶端末に記憶された音声データを、操作手段を操作することで呼び出して再生可能なオーディオ装置であって、
再生中の前記音声データに付随している属性データを取得する属性データ取得手段と、
前記操作手段毎に個別のコマンドを生成するコマンド生成手段と、
前記操作手段が所定時間以上操作された場合に前記コマンド生成手段によって生成された前記コマンドを、再生中の音声データに付随している前記属性データに対応付けてデータベースに登録するコマンド登録手段と、
前記操作手段が所定時間未満操作された場合に前記コマンド生成手段によって生成された前記コマンドを前記データベース内で検索し、当該コマンドが対応付けされた前記属性データを呼び出して前記外部記憶端末に送信する属性データ検索手段と
を備えることを特徴とするオーディオ装置。
【請求項２】
前記属性データはカテゴリ毎に識別情報を備えており、前記コマンドは前記属性データが備える識別情報のうち少なくともいずれかの識別情報に対応付けされて前記データベースに登録されることを特徴とする請求項１に記載のオーディオ装置。
【請求項３】
前記コマンドは、検索キーとしてデータベースに登録されることを特徴とする請求項１又は２に記載のオーディオ装置。
【請求項４】
前記属性データを少なくともその一部であることを表す形にて表示可能な表示手段を備えたことを特徴とする請求項１〜３のいずれかに記載のオーディオ装置。
【発明の詳細な説明】
【技術分野】
【０００１】
この発明は、例えば、車両等に搭載されるオーディオ装置に関するものである。
【背景技術】
【０００２】
近年、メモリやハードディスク等の記憶媒体に記憶された音楽、動画等のデータを再生する携帯型のプレーヤーが好評を得ている。この携帯型のプレーヤーにおいては、年々、記憶容量を増加させたものが製品化されており、記憶可能なデータ数も増加の一途を辿っている。通常、この種の音楽データや動画データには識別情報を含むタグ（属性データ）が付随しており、例えば音楽データの場合、このタグにはアーティスト名、アルバム名、曲名、ジャンル等のカテゴリ毎の識別情報が含まれている。そして、このタグの識別情報を携帯型のプレーヤーの液晶ディスプレイ等に表示することで、ユーザが再生中の音楽データを識別することができるようになっている。また、このような携帯型のプレーヤーの中には、記憶媒体に記憶されている複数のデータに付随したタグの識別情報に基づいて特定のデータを検索して呼び出す機能を備えたものもある。この機能によって呼び出されたデータはプレイリストに登録され、ユーザが再生操作をすることで、プレイリスト内に登録されたデータが順次再生されるようになっている。
【０００３】
さらに近年、車載オーディオ装置などの再生機能を備えた装置に対して上述した携帯型のプレーヤーを接続し、この携帯型のプレーヤーの記憶媒体に記憶されている音声データを呼び出して再生する車載用のデータ呼出装置が提案されている（例えば、特許文献１参照）。さらに、この種のデータ呼出装置では、携帯型のプレーヤーが有している検索・呼出機能を利用するようにしたものが提案されており、車載オーディオ装置側の操作系を操作することによって携帯型のプレーヤーのデータ検索や呼び出しを行うことができるようになっている。
【特許文献１】特開２００２−３７３４８４号公報
【発明の開示】
【発明が解決しようとする課題】
【０００４】
しかしながら、携帯型のプレーヤーから所望のデータを呼び出すデータ呼出装置では、車載装置の画面などに表示されたタグのカテゴリを順次選択して絞込む操作を行う必要があるため、操作が煩雑になり、例えば、利用者が運転中の場合に容易に携帯型プレーヤーからデータを呼び出すことができないという課題がある。
【０００５】
そこで、この発明は、容易に外部記憶端末に記憶されているデータの呼び出しを可能にするオーディオ装置を提供するものである。
【課題を解決するための手段】
【０００６】
上記の課題を解決するために、請求項１に記載した発明は、音声データが記憶された外部記憶端末（例えば、実施の形態におけるマルチメディアプレーヤー２）が着脱可能に接続されるとともに、該外部記憶端末に記憶された音声データを、操作手段（例えば、実施の形態におけるプリセットスイッチ＃１〜＃６）を操作することで呼び出して再生可能なオーディオ装置（例えば、実施の形態におけるオーディオユニット１）であって、再生中の音声データに付随している属性データを取得する属性データ取得手段（例えば、実施の形態におけるタグ取得部１４）と、前記操作手段毎に個別のコマンドを生成するコマンド生成手段（例えば、実施の形態におけるコマンド生成部１７）と、前記操作手段が所定時間以上操作された場合に前記コマンド生成手段によって生成された前記コマンドを、再生中の音声データに付随している前記属性データに対応付けてデータベース（例えば、実施の形態におけるデータベースＤＢ）に登録するコマンド登録手段（例えば、実施の形態におけるコマンド登録部１８）と、前記操作手段が所定時間未満操作された場合に前記コマンド生成手段によって生成された前記コマンドを前記データベース内で検索し、当該コマンドが対応付けされた前記属性データを呼び出して前記外部記憶端末に送信する属性データ検索手段（例えば、実施の形態におけるタグ検索部１９）とを備えることを特徴とする。
このように構成することで、外部記憶端末に記憶されている音声データがオーディオ装置側で再生されているときに、操作手段を予め設定された時間以上操作することで、コマンド生成手段にて操作手段毎にコマンドが生成され、コマンド登録手段によってこのコマンドを再生中の音声データに付随した属性データに対応付けてデータベースに記憶することができる。また、操作手段を予め設定された時間未満操作することで、属性データ検索手段によって操作手段毎に生成されたコマンドをデータベースで検索してこのコマンドに対応付けされた属性データをデータベースから呼び出して外部記憶端末に送信することができるため、当該属性データに基づいて外部記憶端末から音声データを呼び出すことが可能となる。
【０００７】
請求項２に記載した発明は、請求項１に記載の発明において、前記属性データはカテゴリ毎に識別情報を備えており、前記コマンドは前記属性データが備える識別情報のうち少なくともいずれかの識別情報に対応付けされて前記データベースに登録されることを特徴とする。
このように構成することで、属性データが備える複数のカテゴリの識別情報に基づいて外部記憶端末から音声データを呼び出すことが可能となる。
【０００８】
請求項３に記載した発明は、請求項１又は２に記載の発明において、前記コマンドは、検索キーとして記憶されることを特徴とする。
このように構成することで、操作手段を操作することによってコマンドを検索キーとして属性データに対応付けてデータベースに記憶することができる。
【０００９】
請求項４に記載した発明は、請求項１〜３のいずれかに記載の発明において、前記属性データを少なくともその一部であることを表す形にて表示する表示手段（例えば、実施の形態における液晶表示部９）を備えたことを特徴とする。
このように構成することで、表示手段の表示から利用者は属性データを判別することができる。
【発明の効果】
【００１０】
請求項１に記載した発明によれば、外部記憶端末に記憶されているデータが再生されているときに、操作手段を予め設定された時間以上操作することで、コマンド生成手段にて操作手段毎にコマンドが生成され、コマンド登録手段によってこのコマンドを再生中の音声データに付随した属性データに対応付けてデータベースに記憶することができるため、音声データの再生中に操作手段を操作するだけで容易にコマンドを属性データに対応付けて登録することができる効果がある。
また、操作手段を予め設定された時間未満操作することで、属性データ検索手段によって操作手段毎に生成されたコマンドをデータベースで検索してこのコマンドに対応付けされた属性データをデータベースから呼び出して外部記憶端末に送信することができるため、当該属性データに基づいて外部記憶端末から音声データを呼び出すことが可能となり、したがって、操作手段の簡単な操作によって容易に外部記憶端末から音声データを呼び出すことが可能となる。
【００１１】
請求項２に記載した発明によれば、請求項１の効果に加え、属性データが備える複数のカテゴリの識別情報に基づいて外部記憶端末から音声データを呼び出すことが可能となるため、データを呼び出す際の選択の自由度が向上する効果がある。
【００１２】
請求項３に記載した発明によれば、請求項１又は２の効果に加え、操作手段を操作することによって検索キーを属性データに対応付けてデータベースに記憶することができるため、この記憶された検索キーに基づいて迅速に所望の音声データを外部記憶端末から呼び出すことができる効果がある。
【００１３】
請求項４に記載した発明によれば、請求項１〜３のいずれかの効果に加え、表示手段の表示から利用者は属性データを容易に判別することができる効果がある。
【発明を実施するための最良の形態】
【００１４】
以下、この発明の実施の形態を図面に基づいて説明する。
図１は、この発明の実施の形態におけるオーディオユニット（オーディオ装置）１の概略構成を示したものである。このオーディオユニット１は自動車等の車両に搭載されたものであり、携帯型のマルチメディアプレーヤー（外部記憶端末）２が、近距離無線であるBluetooth（登録商標）等のインターフェースを介して着脱可能に構成されている。
【００１５】
マルチメディアプレーヤー２は、いわゆるポータブルプレーヤーとして利用されるものであり、このマルチメディアプレーヤー２がオーディオユニット１に接続されていないときには、通常、ヘッドフォンをアナログ端子に接続して外出先などで音楽や動画を楽しむことができるようになっている。また、このマルチメディアプレーヤー２は、ＵＳＢ（Universal Serial Bus）等のインターフェースを介して図示しないＰＣ（Personal Computer）やサーバ等の端末と双方向通信可能に構成されており、この端末によってマルチメディアプレーヤー２内蔵のＨＤＤ（Hard Disk Drive）やＲＡＭ（Random Access Memory）等の記憶媒体（図示せず）に対する音楽データおよび動画データの転送、編集などのデータ管理が可能となっている。なお、マルチメディアプレーヤー２とオーディオユニット１との接続は上述したＰＣとの接続同様、ＵＳＢなどの有線インターフェースを介して接続するようにしてもよい。
【００１６】
マルチメディアプレーヤー２の上記記憶媒体に記憶される複数の音楽データや動画データには、これら音楽データおよび動画データを識別するための属性データであるタグが付随している。ユーザはマルチメディアプレーヤー２のディスプレイ３に表示されるタグの識別情報を確認しながら、音楽データまたは動画データの選択、再生および停止等を操作部４で操作することで、所望の音楽データや動画データを呼び出して再生できるようになっている。ここで、上記タグは、複数のカテゴリ毎、例えば、「タイトル（曲名）」、「アーティスト」、「アルバム」、「ジャンル」、「予め登録したコメントに含まれる語句」、「リリース年月日」、「データ作成年月日」などの識別情報がテキスト情報として付与されており、マルチメディアプレーヤー２では、これら識別情報に基づいて、音楽データや動画データを検索する機能を備えている。
【００１７】
一方、オーディオユニット１は、ＡＭ／ＦＭラジオチューナーの機能（以下、単にチューナーモードという）や光磁気ディスク等の再生機能（以下、単にプレーヤモードという）を適宜切換えて利用するいわゆるオーディオヘッドユニットであり、このオーディオユニット１には、車室内に配置された複数のスピーカ５が接続されている。また、このオーディオユニット１の正面には、チューナーモードとプレーヤモードとを切換えるモード切換スイッチ６、光磁気ディスクなどのメディアを取り出すイジェクトスイッチ７、音量を調整するボリュームスイッチ８、チューナーモードを選択している時にＡＭ／ＦＭラジオの周波数を記憶させるための複数のプリセットスイッチ（操作手段）＃１〜＃６、現在選択されているラジオの周波数や再生中のメディアのトラック情報などの各種情報を表示する液晶表示部（表示手段）９などが設けられている。プリセットスイッチ＃１〜＃６は、チューナーモードではない場合に、例えば液晶表示部９における表示モードを切換える機能など、他の機能が割り振られる。
【００１８】
また、オーディオユニット１では、上述したマルチメディアプレーヤー２から送信されてくる音楽データを再生できるように構成されている。例えば、オーディオユニット１で音楽データを再生する場合には、音声データに付随するタグの情報、例えばアーティスト、アルバム等の識別情報を、少なくともその一部であることを表す形にて表示可能に設けられた液晶表示部９に表示しつつ、音声データを再生して車室内に配置されたスピーカ５を駆動するようになっている。なお、オーディオユニット１において、マルチメディアプレーヤー２から送信される音声データを再生するモードは、マルチメディアプレーヤー２の接続を検出した時点で切換えたり、モード切換スイッチを設けてこれを操作することで切換えるようにしてもよい。また、上記識別情報の少なくとも一部であることを表す形で表示可能とは、例えば、液晶表示部９で表示可能な文字数が識別情報の文字数と比較して少ない場合など、識別情報の全てを液晶表示部９に表示することはできないので、例えば、識別情報の頭文字だけを表示したり、表示可能な文字数だけ表示して、表示された内容から識別情報が認識できるような形で表示することを意味している。
【００１９】
オーディオユニット１は、上述したマルチメディアプレーヤー２が接続されているときに、マルチメディアプレーヤー２の操作部４が有する操作を遠隔操作できるように構成されている。つまり、音楽データのうち所望のデータを検索したり、再生、停止、早送りなどの操作を行う場合に、オーディオユニット１の操作系（例えば、チューナー用の回転操作部１０など）を操作することで、マルチメディアプレーヤー２の機能を利用することができる。
【００２０】
ところで、上述したオーディオユニット１は、マルチメディアプレーヤー２から所望の音楽データを呼び出すデータ呼出制御部１２を備えている。以下、図２に基づいてデータ呼出制御部１２について説明する。
図２に示すように、オーディオユニット１には、前述したマルチメディアプレーヤー２とのインターフェースの一部を構成する本体通信部１１が設けられており、この本体通信部１１にデータ呼出制御部１２の通信部１３が接続されている。なお、本体通信部１１にはオーディオユニット１の再生機能などを制御する制御部などが接続されることとなるが、図示都合上これらを省略している。また、本体通信部１１を介してマルチメディアプレーヤー２と通信部１３とを接続する一例を述べたが、本体通信部１１を省略して通信部１３とマルチメディアプレーヤー２とを直接的に接続するようにしてもよく、この場合、マルチメディアプレーヤー２から送信されてくる音楽データは通信部１３を経由してオーディオユニット１の制御部に送信すればよい。
【００２１】
通信部１３にはデータ呼出制御部１２内のタグ取得部（属性データ取得手段）１４が接続されており、このタグ取得部１４においてオーディオユニット１で現在再生されている音楽データに付随するタグが取得可能になっている。このタグ取得部１４は、音楽データのタグを取得すると、この取得したタグを一時的に保存する。なお、上述したタグは、必ず音楽データとともに送受信されるため、タグ取得部１４で取得可能なタグは、オーディオユニット１で再生中の音楽データのタグに限られる。
【００２２】
また、通信部１３には、オーディオユニット１で現在再生している音楽データの再生モードを取得する再生モード取得部１５が接続されている。この再生モード取得部１５は、現在再生されている音楽データが、当該音楽データに付随したタグのどのカテゴリの識別情報に基づいて呼び出されたのかを取得するものである。
【００２３】
一方、データ呼出制御部１２には、前述したように複数のプリセットスイッチ＃１〜＃６が接続されており、このプリセットスイッチ＃１〜＃６の操作が操作検出部（検出手段）１６によって検出可能になっている。ここで検出されたプリセットスイッチ＃１〜＃６の操作情報はコマンド生成部（コマンド生成手段）１７、コマンド登録部（コマンド登録手段）１８、タグ検索部（属性データ検索手段）１９にそれぞれ送信される。
【００２４】
コマンド生成部１７は、上記操作検出部１６から送信されてくる検出情報に基づいて、プリセットスイッチ＃１〜＃６毎に個別の検索コマンドを生成するものであり、具体的には、例えばプリセットスイッチ＃１〜＃６のうちプリセットスイッチ＃１が操作された場合、予めプリセットスイッチ＃１に対応付けられている「＃１」という検索コマンドが生成される。これはプリセットスイッチ＃１の操作でのみ生成されるコマンドであり、他のプリセットスイッチ＃２〜＃６に対してはそれぞれ個別の検索コマンドが予め準備されている。なお、検索コマンドは「＃１」に限られるものではなく、識別可能な検索コマンドを適宜設定すればよい。
【００２５】
コマンド登録部１８は、操作検出部１６によってプリセットスイッチ＃１〜＃６のうちいずれかのプリセットスイッチが所定時間（例えば、２秒程度）以上継続して操作されたことが検出された場合に、タグ取得部１４で取得したタグと、再生モード取得部１５で取得した再生モードとに基づいて、タグに含まれるカテゴリの識別情報とコマンド生成部１７で生成された検索コマンドとを対応付けて記憶部２０に記憶させるものである。より具体的には、例えば、現在再生されている音楽データが、当該音楽データに含まれるタグのカテゴリ「アーティスト」で検索されて再生されている場合、再生モード取得部１５はカテゴリ「アーティスト」を取得し、一方、タグ取得部１４は再生中の音楽データのタグを取得する。そして、コマンド登録部１８はタグのカテゴリ「アーティスト」の識別情報（例えば、図６の「発明太郎」）に、コマンド生成部１７から送信されてきた検索コマンドを呼び出す際の検索キーとして対応付けて記憶部２０のデータベースＤＢに登録する。なお、カテゴリが「アーティスト」で検索された音楽データの一例を説明したが、「アーティスト」以外のカテゴリで検索された音楽データであっても識別情報と検索コマンドとを対応付けて記憶部２０のデータベースＤＢに登録できるのは言うまでもない。
【００２６】
タグ検索部１９は、操作検出部１６によって所定時間（例えば、２秒程度）未満のプリセットスイッチ＃１〜＃６のいずれかの操作が検出された場合、当該プリセットスイッチの操作によってコマンド生成部１７で生成された検索コマンドを検索キーとして、当該検索キーを記憶部２０のデータベースＤＢ上で検索し、データベースＤＢ上に該当する検索キーがある場合に、当該検索キーに対応付けられた識別情報を呼び出して、この識別情報を、マルチメディアプレーヤー２に対して送信するようになっている。ここで、マルチメディアプレーヤー２に対して、識別情報を送信することでマルチメディアプレーヤー２内に記憶されている音楽データが当該識別情報に基づいて検索されるようになっている。
【００２７】
より具体的には、タグ検索部１９は、例えばプリセットスイッチ＃１が所定時間未満の短時間操作された場合、プリセットスイッチ＃１に対して予め設定された「＃１」という検索コマンドをコマンド生成部１７から受信して、この「＃１」を検索キーとして記憶部２０のデータベースＤＢを検索する。そして、この検索キーである「＃１」がデータベースＤＢ上に見つかった場合には、例えば図７に示すように「＃１」に対応付けられた例えばカテゴリ「アーティスト」の「発明太郎」という識別情報をマルチメディアプレーヤー２に送信する。
【００２８】
次に、図３のフローチャートに基づいてデータ呼出制御部１２における検索キーの登録処理を説明する。
まず、ステップＳ１では、音楽データが再生中か否かを判定する。すなわち、マルチメディアプレーヤー２から音楽データがオーディオユニット１に送信されて再生中か否かを判定する。判定結果が「ＹＥＳ」（再生中）である場合はステップＳ２に進み、判定結果が「ＮＯ」（再生中ではない）である場合はステップＳ１の処理を繰り返す。ここで、例えば、図５は、マルチメディアプレーヤー２に記憶されている音楽データ１〜ｎのうち、音楽データ３が呼び出された場合を示しており、再生される音楽データ３のみがオーディオユニット１に送信されることとなる。
【００２９】
ステップＳ２では、コマンド登録部１８において、操作検出部１６の検出結果に基づいてプリセットスイッチ＃１〜＃６のいずれかに対して所定時間以上の操作がなされたか否かを判定する。この判定結果が「ＹＥＳ」（操作あり）である場合はステップＳ３に進み、判定結果が「ＮＯ」（操作なし）である場合はステップＳ１に戻り上述した処理を繰り返す。
【００３０】
ステップＳ３では、音楽データに付随するタグをタグ取得部１４によって取得する。ここで、図６は、再生中の音楽データから取得されるタグの一例を示している。図６に示すようにタグには、例えば「アルバム」、「アーティスト」、「タイトル」等のカテゴリが設けられており、「アルバム」に対して「アイウエオ」、「アーティスト」に対して「発明太郎」、「タイトル」に「カキクケコ」などの識別情報がそれぞれ付与されている。
【００３１】
ステップＳ４では、現在再生されている音楽データの再生モード、つまり、どのカテゴリに基づいて検索された音楽データであるかをオーディオユニット１の制御部から取得する。ここで、ステップＳ４で取得されるカテゴリとしては、例えば図６に示す「アルバム」、「アーティスト」、「タイトル」等のカテゴリの他、図６では図示都合上省略しているが、「予め登録したコメントに含まれる語句」、「リリース年月日」、「データ作成年月日」等のカテゴリがある。
【００３２】
さらにステップＳ５では、コマンド登録部１８において、ステップＳ４で判定したカテゴリの識別情報に対して、コマンド生成部１７で生成された検索コマンドを検索キーとして対応付けて記憶部２０のデータベースＤＢに登録し、ステップＳ１にリターンする。ここで、プリセットスイッチ＃１が操作され、ステップＳ４でカテゴリの「アーティスト」が取得された場合には、タグ取得部１４で取得されたタグに含まれている「アーティスト」の識別情報、例えば図６に示す「発明太郎」という識別情報に対して検索キーとして「＃１」を対応付けて図７に示す識別情報と検索キーとのデータベースＤＢに登録する。なお、上述したカテゴリが「アーティスト」ではない場合も同様であり、例えば上述したカテゴリが「アルバム」であった場合には、図６に示す識別情報「アイウエオ」に検索キーが対応付けられてデータベースに登録されることとなる。
【００３３】
次に、図４のフローチャートに基づいてプリセットスイッチの操作によりマルチメディアプレーヤー２に記憶された音楽データを呼び出す検索指示処理を説明する。
まず、ステップＳ１１では、車両のアクセサリー電源（ＡＣＣ）がＯＮになっているか否かを判定する。判定結果が「ＹＥＳ」（ＡＣＣがＯＮ）である場合はステップＳ１２に進み、判定結果が「ＮＯ」（ＡＣＣがＯＦＦ）である場合はステップＳ１１に戻る。
【００３４】
ステップＳ１２では、外部記憶端末であるマルチメディアプレーヤー２が認証済み、つまりオーディオユニット１に接続されているか否かを判定する。判定結果が「ＹＥＳ」（認証済み）である場合はステップＳ１３に進み、判定結果が「ＮＯ」（未認証）である場合はステップＳ１１に戻り上述した処理を繰り返す。
【００３５】
ステップＳ１３では、タグ検索部１９において操作検出部１６の検出結果に基づきプリセットスイッチ＃１〜＃６のいずれかに所定時間未満の操作がなされたか否かを判定する。判定結果が「ＹＥＳ」（操作あり）である場合はステップＳ１４に進み、判定結果が「ＮＯ」（操作なし）である場合はステップＳ１３の処理を繰り返す。
【００３６】
ステップＳ１４では、コマンド生成部１７で生成された検索コマンドを検索キーとして記憶部２０のデータベースＤＢを検索し、該当する検索キーに対応付けられた識別情報を通信部１３を介してマルチメディアプレーヤー２に送信してステップＳ１３に戻り上述した処理を繰り返す。具体的には、プリセットスイッチ＃１〜＃６のうちプリセットスイッチ＃１が操作されてコマンド生成部１７で生成された検索コマンドが、例えば「＃１」であった場合、例えば図７に示すように、この「＃１」を記憶部２０のデータベースＤＢ上の検索キーの中から検索して、この「＃１」に対応付けられた識別情報である「発明太郎」をデータベースＤＢから呼び出す。そして、この識別情報である「発明太郎」をマルチメディアプレーヤー２に送信する。このようにすることで、マルチメディアプレーヤー２では、識別情報として「発明太郎」を含むタグを備えた音楽データが検索され、この検索された音楽データが順次オーディオユニット１に送信されるようになっている。なお、プリセットスイッチ＃１を操作した場合について説明したが、プリセットスイッチ＃２〜＃６についても同様である。上述したオーディオユニット１ではプリセットスイッチが６個設けられている場合について説明したが、配置スペースに応じた個数を設ければよく、例えばプリセットスイッチを１個だけ設ける構成でもよい。
【００３７】
したがって、上述の実施の形態によれば、マルチメディアプレーヤー２内に記憶されている音楽データが再生されているときに、プリセットスイッチ＃１〜＃６のいずれかを予め設定された所定時間以上操作することで、コマンド生成部１７にて操作されたプリセットスイッチ＃１〜＃６のうちのいずれかの検索コマンドが生成され、コマンド登録部１８によって再生中の音楽データに付随したタグの識別情報に対して当該検索コマンドを検索キーとして対応付けて記憶部２０に記憶することができるため、音楽データの再生中にプリセットスイッチ＃１〜＃６のいずれかを所定時間以上操作するだけで容易に検索キーをタグの識別情報に対応付けて登録することができる。
【００３８】
また、プリセットスイッチ＃１〜＃６のいずれかを予め設定された所定時間未満操作することで、タグ検索部によってプリセットスイッチ＃１〜＃６毎に生成された検索コマンドを検索キーとして記憶部２０のデータベースＤＢを検索してこの検索キーが対応付けされた識別情報を呼び出してマルチメディアプレーヤー２に送信することができるため、当該識別情報に基づいてマルチメディアプレーヤー２から音楽データを呼び出すことが可能となり、したがって、プリセットスイッチ＃１〜＃６の簡単な操作によって容易にマルチメディアプレーヤー２から音楽データを呼び出すことが可能となる。
【００３９】
さらに、タグが備える複数のカテゴリの識別情報に基づいてマルチメディアプレーヤー２から音楽データを呼び出すことが可能となるため、データを呼び出す際の選択の自由度を向上することができる。
また、液晶表示部９の表示にタグの識別情報が、その少なくとも一部であることを表す形で表示されることから利用者はタグの識別情報を容易に判別することができる。
【００４０】
なお、この発明は上述した実施の形態では、マルチメディアプレーヤー２から送信される音楽データの再生を一例に説明したが、再生されるのは音楽データに限られるものではなく、例えば、利用者が録音した音声データや、動画に付随する音声データなどであってもよい。
【００４１】
また、上記実施の形態ではタグを含んだ音楽データ、つまり、デジタルの音楽データをオーディオユニット１に送信してオーディオユニット１で再生するようにしているが、例えば、マルチメディアプレーヤー２側で音楽データを再生して、例えばヘッドフォン用のアナログ信号などを有線または無線でオーディオユニット１に入力し、オーディオユニット１では送信されてきたアナログ信号を単に増幅してスピーカから出力するように構成してもよい。この場合は、マルチメディアプレーヤー２で再生されている音楽データをマルチメディアプレーヤー２からオーディオユニット１のデータ呼出制御部１２に送信して検索キーの登録処理を行うように設定すればよい。
【００４２】
また、上記実施の形態ではデータ呼出制御部１２をオーディオユニット１と一体的に設けた場合を説明したが、データ呼出制御部１２をオーディオユニット１から独立させて設けてもよい。
【図面の簡単な説明】
【００４３】
【図１】本発明の実施の形態におけるオーディオユニットの全体構成図である。
【図２】本発明の実施の形態におけるデータ呼出制御部の機能構成図である。
【図３】本発明の実施の形態における検索キー登録処理のフローチャートである。
【図４】本発明の実施の形態におけるプリセットスイッチによるデータ呼出処理のフローチャートである。
【図５】本発明の実施の形態における音楽データとタグの説明図である。
【図６】本発明の実施の形態におけるタグのカテゴリと識別情報との説明図である。
【図７】本発明の実施の形態における記憶部１８のデータベースＤＢの説明図である。
【符号の説明】
【００４４】
１  オーディオユニット（オーディオ装置）
２  マルチメディアプレーヤー（外部記憶端末）
９  液晶表示部（表示手段）
１４  タグ取得部（属性データ取得手段）
１７  コマンド生成部（コマンド生成手段）
１８  コマンド登録部（コマンド登録手段）
１９  タグ検索部（属性データ検索手段）
ＤＢ  データベース
＃１〜＃６  プリセットスイッチ（操作手段）
【図１】
2008027345.tif 000003
【図２】
2008027345.tif 000004
【図３】
2008027345.tif 000005
【図４】
2008027345.tif 000006
【図５】
2008027345.tif 000007
【図６】
2008027345.tif 000008
【図７】
2008027345.tif 000009